【手続補正書】
【提出日】平成15年6月27日(2003.6.27)
【手続補正１】
【補正対象書類名】明細書
【補正対象項目名】特許請求の範囲
【補正方法】変更
【補正の内容】
【特許請求の範囲】
【請求項１】
検体を搬送する搬送ラインを有する搬送装置と、
前記搬送装置に沿って配置された第１および第２分析装置と、
第１分析装置を載置する基台と、
基台を水平方向に移動させるための移動路とを備え、
基台を水平方向に移動させることによって、第１分析装置と第２分析装置とが離隔可能である検体搬送システム。
【請求項２】
前記搬送装置は、第１分析装置に連結された第１搬送ユニットと、第２分析装置に連結され第１搬送ユニットに隣接する第２搬送ユニットとを備え、第１搬送ユニットは、基台を移動させることによって第１分析装置と一体となって移動するように構成され、第１および第２搬送ユニットは、嵌合することによって第１および第２搬送ユニットの相対位置を決定する嵌合部を備える請求項１に記載の検体搬送システム。
【請求項３】
第１分析装置が所定位置から移動したことを検知する検知手段と、検知手段からの情報によって前記搬送装置および／または前記分析装置を制御する制御部とをさらに備える請求項１または２に記載の検体搬送システム。
【手続補正２】
【補正対象書類名】明細書
【補正対象項目名】０００５
【補正方法】変更
【補正の内容】
【０００５】
【発明が解決しようとする課題】
検体搬送システムを普及させて検査の効率化をあげるために、より省スペースな検体搬送システムが求められている。本発明は、第１分析装置と第２分析装置とを離隔可能とすることによって、保守調整の際の作業を効率的に行うことができる、省スペースな検体搬送システムを提供するものである。


【手続補正３】
【補正対象書類名】明細書
【補正対象項目名】０００６
【補正方法】変更
【補正の内容】
【０００６】
【課題を解決するための手段】
上記課題を解決するために、検体を搬送する搬送ラインを有する搬送装置と、前記搬送装置に沿って配置された第１および第２分析装置と、第１分析装置を載置する基台と、基台を水平方向に移動させるための移動路とを備え、基台を水平方向に移動させることによって、第１分析装置と第２分析装置とが離隔可能である検体搬送システムを提供する。


【手続補正４】
【補正対象書類名】明細書
【補正対象項目名】０００７
【補正方法】変更
【補正の内容】
【０００７】
【発明の実施の形態】
本発明における搬送装置とは、採血管や尿スピッツなどを１つずつ又は複数個収容した検体ラックを、ベルトコンベア等の搬送ラインにより移送する装置をいう。本発明における自動分析装置とは、血液等の検体を吸引してその成分等を分析する自動分析装置をいい、例えば、血液分析装置や尿分析装置などをさす。又、血液塗抹標本作製装置などの、検体を吸引して検体を処理をする装置も自動分析装置に含まれる。


【手続補正５】
【補正対象書類名】明細書
【補正対象項目名】０００８
【補正方法】変更
【補正の内容】
【０００８】
本発明における基台とは、自動分析装置を載置する台をいい、移動路と一体になって構成される。移動路は基台を水平方向に移動するように構成され、その移動方向を指定するためのガイドが備わっている。そして少なくとも２個所の位置で基台を固定できるように固定部が備えられる。本発明における嵌合部とは、第１搬送ユニットと第２搬送ユニットとを固定するものをいう。嵌合部の固定時には第１搬送ユニットと第２搬送ユニットとで検体の受渡しを行えるように両者の相対的な位置が決定されるように構成される。基台を動作時の位置に戻す移動によって固定されるように、嵌合部は基台の移動方向に伸びる部材及びそれに対応した凹部で構成されることが好ましい。又、搬送装置は各自動分析装置ごとのユニットとして分離することができ、第１の自動分析装置と第１の搬送ユニットとが一体に構成されることが好ましい。その際は嵌合部が第１の搬送ユニットと第２の搬送ユニットとの間に設けられる。


【手続補正６】
【補正対象書類名】明細書
【補正対象項目名】００１１
【補正方法】変更
【補正の内容】
【００１１】
以下、本発明に係る検体搬送システムの動作について簡単に説明する。まず、図６に示すバーコード４１を貼付した検体容器４０を、図５に示す検体ラック４２に収納する。この検体ラック４２を搬送ユニット１の検体投入テーブル４５にセットすると、検体投入テーブルに備えられたセンサが検体ラック４２を感知して、自動的に検体ラック４２が分析装置３側に搬送され、ベルトコンベア方式で横送りされる。検体容器４０が検体吸引位置４７に到着すると、バーコードリーダが検体容器のバーコード４１を読取り、攪拌・吸引部（図時せず）によって検体容器４０が攪拌されて、吸引針により血液が吸引される。検体の攪拌・吸引が順次行われ、終了した検体ラック４２は検体吸引位置４７から送出される。


【手続補正７】
【補正対象書類名】明細書
【補正対象項目名】００１５
【補正方法】変更
【補正の内容】
【００１５】
以下、連結解除時の様態について簡単に説明する。まず、連結解除動作を行う指示を入力する。検体搬送システムはその搬送動作及び分析動作が中断する処理を行い、連結解除可能な状態になったことが表示される。本検体搬送システムでは、分析装置３と搬送ユニット１とがシャフトで固定されて一体となっている。検体搬送システムは搬送ユニット１及び搬送ユニット２とが連結されている。搬送ユニット１及び搬送ユニット２とは嵌合部２１（ａ）及び２１（ｂ）を備えており、両者の相対的な位置が固定されるように嵌合されている。まず、基台１０と移送路１１との固定部を解除して、基台に載置された自動分析装置３及び搬送ユニット１が移動できるようにする。次に、搬送ユニット１と搬送ユニット２との連結を、分析装置３を右方向（図１に示す矢印方向）に押すことにより解除する。そのまま押し続けると分析装置３及び搬送ユニット１が一体となって溝１３に沿って、移動路１１上を分析装置間の距離Ｌが長くなる方向に簡単に移動する。これによって図２に示す分析装置間の距離Ｌ２の位置まで移動すれば、基台１０が移送路１３にその位置で固定されるようにされている。


【手続補正８】
【補正対象書類名】明細書
【補正対象項目名】００１７
【補正方法】変更
【補正の内容】
【００１７】
保守調整作業が終了して元の状態に戻す際は、基台１０と移送路１１との固定部を解除して、左の方向に押して移動させる。嵌合部２１（ｂ）は基台１０の移動方向に伸びる部材であり、移動に伴って嵌合すれば、搬送ユニット１及び搬送ユニット２の位置調整ができる。その嵌合によって分析装置３が通常の位置に戻り、基台１０と移送路１１とを固定すれば、位置調整をする必要がなく検体搬送システムの動作を再開させることができる。


【手続補正９】
【補正対象書類名】明細書
【補正対象項目名】００２１
【補正方法】変更
【補正の内容】
【００２１】
【発明の効果】
本発明によれば、省スペースな検体搬送システムであり、第１分析装置と第２分析装置との離隔を簡単に行うことができるため、保守調整の際の作業を効率的に行うことができる検体搬送システムを提供することができる。


【手続補正１０】
【補正対象書類名】明細書
【補正対象項目名】図面の簡単な説明
【補正方法】変更
【補正の内容】
【図面の簡単な説明】
【図１】本発明に係る検体搬送システムの通常使用時の斜視図である。
【図２】本発明に係る検体搬送システムの分析装置３が移動した時の斜視図である。
【図３】本発明に係る検体搬送システムの搬送装置のユニット１の後面の斜視図である。
【図４】本発明に係る検体搬送システムの搬送装置のユニット２の前面の斜視図である。
【図５】本発明に係る検体搬送システムに使用する検体ラックの１例である。
【図６】本発明に係る検体搬送システムに使用する検体容器の１例である。
【図７】従来の検体搬送システムの１例である。